(57)【特許請求の範囲】
【請求項１】
洗面器等に使用するＳ型或いはＰ型トラップであって、封水形成部位に至るまで流入側管の断面積を分割し、分割された夫々の流入側管の断面積を流出側管の断面積よりも小さくすることで固形物の詰まりを防止するとともに、分割された流入側管の断面積の合計が流出側管の断面積よりも大きいことを特徴とする排水トラップ。
【請求項２】
流入側管の断面積は、Ｓ型或いはＰ型トラップの流入側管に嵌め込まれた分流部材によって複数に分割される請求項１に記載の排水トラップ。
【発明の詳細な説明】
【技術分野】
【０００１】
本発明は、洗面器等に使用するＳ型或いはＰ型トラップ（以下、トラップにて代表する）において破封しにくい構造のトラップを提供するものである。
【背景技術】
【０００２】
従来より、トラップの封水切れに関しては、封水深さの他に、流入側管の断面積と流出側管の断面積の比率である脚断面比の影響が大いと言われており、具体的にはトラップにおける流入側管の断面積を流出側管の断面積より大きくすることにより、封水が切れ難いことは分かっている。ユニットバスや洗濯機用のトラップであれば、構造上の関係から断面積を調整することによって封水に対して切れにくい構造とすることが可能であった。
【０００３】
図１はＳ型トラップの周知形状を示すものであり、封水部ａに対し、排水の流入側管ｂと排水の流出側管ｃとの管の径は同一の径とされているのが一般的である。図示したように、洗面器等で用いられるトラップは、２０〜４０ｍｍ径の管が流入側から流出側まで同一径で、屈折する形で形成されているため、単純にその断面積を調整することが不可能であった。又、排水の大前提である固形物の詰まりの観点から、管の途中で細くしないことが大原則であり、封水切れに対して強いトラップを作ることが困難であった。
【発明の開示】
【発明が解決しようとする課題】
【０００４】
本発明は、以上の従来技術に鑑みてなされたものであり、洗面器等に使用する破封しにくい構造のトラップを提供するものである。
【課題を解決するための手段】
【０００５】
本発明の要旨（請求項１）は、洗面器等に使用するＳ型或いはＰ型トラップであって、封水形成部位に至るまで流入側管の断面積を分割し、夫々の断面積が流出側管の断面積よりも小さくし、固形物の詰まりを防止したことを特徴とする排水トラップにかかるものである。
【０００６】
具体的には、流入側管の断面積の合計が流出側管の断面積よりも大きくした構成であり、簡便な構成としては、トラップの流入側管に流入口を複数に分割する分流部材を嵌め込んだ（請求項２）トラップである。
【発明の効果】
【０００７】
本発明は以上の構成を採用したものであり、請求項１のようにトラップにおける流入側管の断面積と流出側管の断面積を特定することにより破封防止トラップが得られたものであり、これを具現化するために請求項２の分流部材を流入側管に嵌め込めばよいものである。
【発明を実施するための最良の形態】
【０００８】
本発明（請求項１及び請求項２）は、排水の流入側の管に関しては管内部を分割したものであり、流入側全体の断面積は大きくしたが、分割された管の断面積は、夫々流出側管の断面積よりも小さくすることによって、途中で管径を細くしない構成としたもので、これによって固形物の詰まりの問題も解決された上に、流入側管全体の断面積／流出側管の断面積で定義される脚断面積比を大きくして、封水が切れにくい構造のトラップとしたものである。尚、排水の流入側の管内部を分割したもので、かかる分割部位は封水部分に達する深さとする必要がある。
【０００９】
流入側管の分割は何分割でもよいが、通常は２〜４分割程度で流入側が３２〜４０ｍｍ径程度が妥当である。一般的な洗面器の排水口には十字の固形物転落防止用の棒がついているため、それに合わせた形状で開口部から４分割で連続している形態が最も好ましい。請求項３において、分流部材の例としては、断面十字形状の分流部材を管内に嵌め込むだけで十分である。尚、ヘア−キャッチャ−受けの裏側に十字形の突起を形成する例がある（特許文献１）がこれは単なる補強であって、かかる十字形状が封水形成部位に至るまで伸びてはおらず、本発明のものとは基本的に異なるものである。
【００１０】
【特許文献１】実開平５−２２６６５号公報
【実施例】
【００１２】
図２は本発明のＳ型破封防止トラップの図であり、封水部１に対し排水の流出側管３の径は同一の径とされている。排水の流入側管２は洗面器４の排水口に接続され、封水部１に連なる排水流入部である。この排水流入部は少なくとも封水部１に至るまでの深さを有するものである。従来より用いられている勾配排水の場合は、排水の流出側管３と封水部１の径は２０〜４０ｍｍ程度であり、流入側管２の径は３２〜５０ｍｍ程度である。尚、サイフォン排水の場合にあっては、排水の流出側管３と封水部１の径は２０〜２５ｍｍ程度である。
【００１３】
そして、流入側管２内には図３に示すようにフィン１１を断面十字形状に形成した分流部材１０を嵌め込んだものであり、好ましくは、基本的にこの分流部材１０にて分割された部位は夫々独立しているものである。
【００１４】
この実施例にあって、脚断面積比は１．０以上であり、排水流入側管は全体として排水流出側管よりも径を大きくすることで破封防止性能を向上させたものであり、一方、排水流入側管に分流部材によって形成された各流入管は排水流出側管よりも夫々の断面積が小さく構成されたものであり、逆に言えば、排水流出側管は排水流入側管よりも径が大きいことから固形物の詰まりに対しても対応できることとなったものである。
【００１５】
図４及び図５は本発明に用いられる分流部材の別例であり、図４はフィン１１を１２０度方向に形成した分流部材１０であり、流入側管の内部を３分割する。一方、図５はフィン１１を１８０度に形成し、補助フィン１２を備えて管内に支持し、流入側管の内部を２分割する分流部材の例である。勿論、分流部材の形状はこれに限定されるものではなく、夫々のフィンによって分割された流入側の断面積が流出側の断面積よりも小さいことが条件である。
【００１６】
図６は本発明に用いられる分流部材の参考例であり、メインの排水流路に対してバイパス流路１０ａを形成して目的を達成するものである。
【産業上の利用可能性】
【００１７】
本発明は主として洗面器のＳ型トラップをもって説明したが、Ｐ型トラップについても適用できるものであり、更には、洗面器以外の水周り器具のトラップにも広く採用可能である。
【図面の簡単な説明】
【００１８】
【図１】図１はＳ型トラップを示す図である。
【図２】図２は本発明のＳ型トラップを示す図である。
【図３】図３は本発明のトラップに用いられる分流部材の斜視図及び主要部の断面図である。
【図４】図４は本発明のトラップに用いられる別例の分流部材の斜視図及び主要部の断面図である。
【図５】図５は本発明のトラップに用いられる更に別例の分流部材の斜視図及び主要部の断面図である。
【図６】図６は本発明の分流部材の参考例を示す図である。
【符号の説明】
【００１９】
１‥封水部、
２‥排水流入側管、
３‥排水流出側管、
４‥水周り器具、
１０‥分流部材、
１１‥フィン、
１２‥補助フィン。
【図１】
0004833718.tif 000002
【図２】
0004833718.tif 000003
【図３】
0004833718.tif 000004
【図４】
0004833718.tif 000005
【図５】
0004833718.tif 000006
【図６】
0004833718.tif 000007